(57)【要約】【課題】簡単に、しかも、確実に他の周波数チャンネルに変更することができる送受信機間のチャンネル設定方法及び装置を提供すること。【解決手段】ワイヤレスリモコン送信機に記憶されている複数のチャンネルの搬送波用周波数の中から任意のチャンネルを選択してワイヤレス受信機に向けてテスト信号を一定時間送信する工程と、ワイヤレスリモコン送信機の送信中にワイヤレス受信機のチャンネルデータをリセットする工程と、ワイヤレス受信機が特定のチャンネルで受信を試みる工程と、ワイヤレス受信機が特定のチャンネルで受信できたとき、ワイヤレス受信機のメモリに受信したチャンネルを記憶し、受信できなかったとき、チャンネルを順次変更して受信できるまで試みる工程とからなる。【選択図】図１
2008294525.tif 000002
【特許請求の範囲】
【請求項１】
ワイヤレスリモコン送信機に記憶されている複数のチャンネルの搬送波用周波数の中から任意のチャンネルを選択してワイヤレス受信機に向けてテスト信号を一定時間送信する工程と、
ワイヤレスリモコン送信機の送信中にワイヤレス受信機のチャンネルデータをリセットする工程と、
ワイヤレス受信機が特定のチャンネルで受信を試みる工程と、
ワイヤレス受信機が特定のチャンネルで受信できたとき、ワイヤレス受信機のメモリに受信したチャンネルを記憶し、受信できなかったとき、チャンネルを順次変更して受信できるまで試みる工程と
からなることを特徴とする送受信機間のチャンネル設定方法。
【請求項２】
ワイヤレスリモコン送信機に記憶されている複数のチャンネルの搬送波用周波数の中から任意のチャンネルを選択してワイヤレス受信機に向けてテスト信号を一定時間送信する工程と、
ワイヤレスリモコン送信機の送信中に電源スイッチを入れてすでにメモリに記憶されているチャンネルデータをリセットする工程と、
ワイヤレスリモコン送信機をリセットしてから所定時間経過すれば終了し、経過しなければ次に進む工程と、
所定時間経過しなければ、ワイヤレス受信機が記憶している第１のチャンネルで受信を試みる工程と、
ワイヤレス受信機が第１のチャンネルで受信できたかを判断し、受信できたときメモリにそのチャンネルを記憶して終了する工程と、
受信できなかったとき、チャンネルを順次変更して受信できるまで試みる工程と
からなることを特徴とする送受信機間のチャンネル設定方法。
【請求項３】
ワイヤレスリモコン送信機のメモリに予め記憶されている複数のチャンネルの搬送波用周波数の中から任意のチャンネルを操作パネルの隠し操作で選択してワイヤレス受信機に向けてテスト信号を一定時間送信し、かつ、選択されたチャンネルを表示部に表示する工程と、
ワイヤレスリモコン送信機からの送信中に電源スイッチを入れてワイヤレス受信機のメモリに記憶されているチャンネルデータをリセットする工程と、
ワイヤレスリモコン送信機をリセットしてから所定時間経過したかを判断し、経過すれば終了し、経過しなければ次に進む工程と、
所定時間経過しなければ、ワイヤレス受信機が記憶している複数のチャンネルの中から第１のチャンネルを設定する工程と、
ワイヤレス受信機が設定した第１のチャンネルで受信を試みる工程と、
ワイヤレス受信機が第１のチャンネルで受信できたかを判断する工程と、
ワイヤレス受信機が受信できたとき、そのチャンネルをワイヤレス受信機のメモリに記憶し、終了する工程と、
ワイヤレス受信機が受信できなかったとき、チャンネルを順次変更して受信できるまで試みる工程と、
複数のチャンネルのすべてで受信できなかったときに終了する工程と
からなることを特徴とする送受信機間のチャンネル設定方法。
【請求項４】
被制御機器に搭載しているワイヤレス受信機で、ワイヤレスリモコン送信機からの電波を受信して前記被制御機器を操作するようにしたワイヤレスで通信する装置において、
前記ワイヤレスリモコン送信機は、前記被制御機器を制御するための操作パネルと、操作内容、チャンネル設定時のチャンネル番号等を表示する表示部と、制御回路と、制御プログラムや設定されたチャンネル番号その他のデータ記憶のためのメモリと、前記被制御機器の制御信号を予め選択された単一周波数チャンネルの搬送波にて変調する送信部と、変調された信号を前記ワイヤレス送信機に向けて発信するアンテナとを具備し、
前記ワイヤレス受信機は、制御回路と、前記ワイヤレスリモコン送信機からのワイヤレス信号を受信するアンテナと、変調した信号を復調する受信部と、制御プログラムや設定されたチャンネル番号その他のデータ記憶のためのメモリと、駆動信号を出力する駆動部と、作動状態を表示する表示灯２５とを具備し
てなることを特徴とする送受信機間のチャンネル設定装置。  
【発明の詳細な説明】
【技術分野】
【０００１】
本発明は、送信機と受信機との間をワイヤレスで通信する装置において、受信機に周波数のスキャンを行う機能を持たせ、自動的に送信機の周波数を検出するようにした送受信機間のチャンネル設定方法及び装置に関するものである。
【背景技術】
【０００２】
単一周波数チャンネルを使用するワイヤレス通信システムの洗浄便器等において、設定された搬送波周波数に妨害を受けて誤動作したり、動作しなくなったりすることがある。
このような場合に、ワイヤレス送信機とワイヤレス受信機のキャリア信号の周波数を、予め設定された複数の周波数チャンネルの中から妨害を受けない周波数チャンネルに選択する必要がある。このような場合、従来は、ワイヤレス送信機とワイヤレス受信機の両方にディップスイッチを設けてワイヤレス送信機とワイヤレス受信機のキャリア信号の周波数を一致させていた。
【０００３】
なお、セキュリティシステム、テレメータシステム等おけるマルチスキャン型ワイヤレス通信システムが知られており、これは、ワイヤレス送信機が複数のキャリア信号を時分割で切り替えて送信データを変調する一方、この変調波を受信するワイヤレス受信機がキャリア信号を時分割で切り替えて受信可能なすべての周波数についてスキャンすることによりワイヤレス送信機からの送信データを受信するものである。
このようなマルチスキャン型ワイヤレス通信システムでは、使用する周波数帯域が広い場合には、ワイヤレス受信機は広範囲の周波数をスキャンする必要があるため、ワイヤレス送信機からの送信波を見つけ出すのにディップスイッチを使用してワイヤレス受信機がスキャンする周波数の範囲を制限する。ディップスイッチを使用する方法では、設定作業が煩雑となり、かつ、受信機が高価になるので、ワイヤレス送信機は、キャリア信号を予め設定された複数の周波数チャンネルに順次切り替える送信チャンネル走査手段を持ち、また、ワイヤレス受信機は、キャリア信号を予め設定された複数の周波数チャンネルに順次切り替える受信チャンネル走査手段を持つことで、短時間で送信波のキャリア信号を見つけ出すことが可能であるとしている（特許文献１）。
【特許文献１】特開平９-１３０２９０号公報。
【発明の開示】
【発明が解決しようとする課題】
【０００４】
単一周波数チャンネルを使用するワイヤレス通信システムでは、ワイヤレス送信機とワイヤレス受信機の両方にディップスイッチを設けてワイヤレス送信機とワイヤレス受信機のキャリア信号の周波数を一致させていたので、受信機が機器の外部に組み込まれている場合には、比較的容易に周波数の設定が可能であるが、一般的には、機器の内部に組み込まれているので、設定された周波数に妨害を受けて誤動作したり、動作しなくなったりしたときの設定作業が面倒であり、また、ディップスイッチを使用することで装置も高価になる。
特許文献１には、送信機の送信チャンネル走査手段と受信機の受信チャンネル走査手段で、送信波のキャリア信号を見つけ出す方法が記載されているが、これは、マルチスキャン型ワイヤレス通信システムであって、単一周波数チャンネルを使用するワイヤレス通信システムには、そのまま利用することができない。
【０００５】
本発明は、設定された周波数に妨害を受けて誤動作したり、動作しなくなったりすることがあっても、簡単に、しかも、確実に他の周波数チャンネルに変更することができる送受信機間のチャンネル設定方法及び装置を提供することを目的とするものである。
【課題を解決するための手段】
【０００６】
本発明による送受信機間のチャンネル設定方法は、
ワイヤレスリモコン送信機のメモリに予め記憶されている複数のチャンネルの搬送波用周波数の中から任意のチャンネルを操作パネルの隠し操作で選択してワイヤレス受信機に向けてテスト信号を一定時間送信し、かつ、選択されたチャンネルを表示部に表示する工程と、
ワイヤレスリモコン送信機からの送信中に電源スイッチを入れてワイヤレス受信機のメモリに記憶されているチャンネルデータをリセットする工程と、
ワイヤレスリモコン送信機をリセットしてから所定時間経過したかを判断し、経過すれば終了し、経過しなければ次に進む工程と、
所定時間経過しなければ、ワイヤレス受信機が記憶している複数のチャンネルの中から第１のチャンネルを設定する工程と、
ワイヤレス受信機が設定した第１のチャンネルで受信を試みる工程と、
ワイヤレス受信機が第１のチャンネルで受信できたかを判断する工程と、
ワイヤレス受信機が受信できたとき、そのチャンネルをワイヤレス受信機のメモリに記憶し、終了する工程と、
ワイヤレス受信機が受信できなかったとき、チャンネルを順次変更して受信できるまで試みる工程と、
複数のチャンネルのすべてで受信できなかったときに終了する工程と
からなることを特徴とする。
【発明の効果】
【０００７】
請求項１記載の発明によれば、
ワイヤレスリモコン送信機に記憶されている複数のチャンネルの搬送波用周波数の中から任意のチャンネルを選択してワイヤレス受信機に向けてテスト信号を一定時間送信する工程と、
ワイヤレスリモコン送信機の送信中にワイヤレス受信機のチャンネルデータをリセットする工程と、
ワイヤレス受信機が特定のチャンネルで受信を試みる工程と、
ワイヤレス受信機が特定のチャンネルで受信できたとき、ワイヤレス受信機のメモリに受信したチャンネルを記憶し、受信できなかったとき、チャンネルを順次変更して受信できるまで試みる工程と
からなるので、送信機と受信機が機器の内部に組み込まれていても、設定された周波数に妨害を受けて誤動作したり、動作しなくなったりしたときのチャンネル変更がきわめて容易にできる。また、ディップスイッチを使用する必要がないので、安価に提供することができる。
【０００８】
請求項２記載の発明によれば、
ワイヤレスリモコン送信機に記憶されている複数のチャンネルの搬送波用周波数の中から任意のチャンネルを選択してワイヤレス受信機に向けてテスト信号を一定時間送信する工程と、
ワイヤレスリモコン送信機の送信中に電源スイッチを入れてすでにメモリに記憶されているチャンネルデータをリセットする工程と、
ワイヤレスリモコン送信機をリセットしてから所定時間経過すれば終了し、経過しなければ次に進む工程と、
所定時間経過しなければ、ワイヤレス受信機が記憶している第１のチャンネルで受信を試みる工程と、
ワイヤレス受信機が第１のチャンネルで受信できたかを判断し、受信できたときメモリにそのチャンネルを記憶して終了する工程と、
受信できなかったとき、チャンネルを順次変更して受信できるまで試みる工程と
からなるので、ワイヤレス受信機を立ち上げてから特定時間以内にチャンネル設定が終了しないと、ワイヤレスリモコン送信機からの複数のチャンネルのいずれかが受信できず、周波数設定ができないことが生ずるのを防止することができる。
【０００９】
請求項３記載の発明によれば、
ワイヤレスリモコン送信機のメモリに予め記憶されている複数のチャンネルの搬送波用周波数の中から任意のチャンネルを操作パネルの隠し操作で選択してワイヤレス受信機に向けてテスト信号を一定時間送信し、かつ、選択されたチャンネルを表示部に表示する工程と、
ワイヤレスリモコン送信機からの送信中に電源スイッチを入れてワイヤレス受信機のメモリに記憶されているチャンネルデータをリセットする工程と、
ワイヤレスリモコン送信機をリセットしてから所定時間経過したかを判断し、経過すれば終了し、経過しなければ次に進む工程と、
所定時間経過しなければ、ワイヤレス受信機が記憶している複数のチャンネルの中から第１のチャンネルを設定する工程と、
ワイヤレス受信機が設定した第１のチャンネルで受信を試みる工程と、
ワイヤレス受信機が第１のチャンネルで受信できたかを判断する工程と、
ワイヤレス受信機が受信できたとき、そのチャンネルをワイヤレス受信機のメモリに記憶し、終了する工程と、
ワイヤレス受信機が受信できなかったとき、チャンネルを順次変更して受信できるまで試みる工程と、
複数のチャンネルのすべてで受信できなかったときに終了する工程と
からなるので、ワイヤレスリモコン送信機とワイヤレス受信機の新たな搬送波周波数を記憶することで、ワイヤレスリモコン送信機からの電波がワイヤレス受信機にて確実に受信でき、正常な駆動が可能となる。
もし、設定された新たな搬送波周波数でも誤動作等が生じる場合には、ワイヤレスリモコン送信機で選択するチャンネルを当初のものと異ならせて再度操作を繰り返すことで他の周波数に設定できる。
【００１０】
請求項４記載の発明によれば、
被制御機器に搭載しているワイヤレス受信機で、ワイヤレスリモコン送信機からの電波を受信して前記被制御機器を操作するようにしたワイヤレスで通信する装置において、
前記ワイヤレスリモコン送信機は、前記被制御機器を制御するための操作パネルと、操作内容、チャンネル設定時のチャンネル番号等を表示する表示部と、制御回路と、制御プログラムや設定されたチャンネル番号その他のデータ記憶のためのメモリと、前記被制御機器の制御信号を予め選択された単一周波数チャンネルの搬送波にて変調する送信部と、変調された信号を前記ワイヤレス送信機に向けて発信するアンテナとを具備し、
前記ワイヤレス受信機は、制御回路と、前記ワイヤレスリモコン送信機からのワイヤレス信号を受信するアンテナと、変調した信号を復調する受信部と、制御プログラムや設定されたチャンネル番号その他のデータ記憶のためのメモリと、駆動信号を出力する駆動部と、作動状態を表示する表示灯２５とを具備したので、ディップスイッチを使用する必要がなく、安価に提供することができる。
【発明を実施するための最良の形態】
【００１１】
本発明による送受信機間のチャンネル設定方法は、次の工程により行われる。
（１）ワイヤレスリモコン送信機２１のメモリ３６には、予め、複数のチャンネルの搬送波用周波数が記憶されており、ワイヤレスリモコン送信機２１の操作パネル３７の隠し操作で任意のチャンネルを選択してワイヤレス受信機２４に向けてテスト信号を一定時間、例えば、１０秒間送信する。選択されたチャンネルは、表示部２８に表示される。
（２）ワイヤレスリモコン送信機２１からの１０秒間の送信中に電源スイッチ２６にてワイヤレス受信機２４の電源を入れてすでにメモリ４３に記憶されているチャンネルデータをリセットする。
（３）ワイヤレスリモコン送信機２１をリセットしてから５秒間経過したかが判断され、５秒間経過すれば終了し、５秒間経過しなければ次に進む。もし、５秒間経過して終了したときは、電源スイッチ２６を切って前記（１）と（２）の工程を再度繰り返す。
（４）５秒間経過したかがＮＯであれば、ワイヤレス受信機２４は、受信機のチャンネルＮ＝１を設定する。
（５）ワイヤレス受信機２４は、チャンネルＮ＝１で受信を試みる。
（６）ワイヤレス受信機２４は、チャンネルＮ＝１で受信できたかを判断する。受信できたときは、メモリ４３に記憶して終了する。
（７）受信できないときは、ワイヤレス受信機２４では、チャンネルＮ＝１＋１＝２にする。
（８）Ｎ＝９回目かがＮＯであるから、ワイヤレス受信機２４は、チャンネルＮ＝２で受信を試みる。
（９）ワイヤレス受信機２４は、チャンネルＮ＝２で受信できたかを判断する。受信できないときは、ワイヤレス受信機２４では、チャンネルＮ＝２＋１＝３にして、チャンネルＮ＝３で受信を試みる。
（１０）ワイヤレス受信機２４は、受信できるまでチャンネルＮを増加して受信できたかを判断する。受信できれば、ワイヤレス受信機２４のメモリ４３にチャンネルＮの周波数を記憶し、終了する。
なお、ワイヤレスリモコン送信機２１からのチャンネルＮが一巡しても設定できないときは、終了する。
【実施例１】
【００１２】
以下、本発明の実施例１を図面に基づき説明する。
図２において、２０は、ワイヤレス通信システムで制御される洗浄便器で、この洗浄便器２０には、この洗浄便器２０から少しの距離を置いて設置したワイヤレスリモコン送信機２１からの電波を受信して操作するためのワイヤレス受信機２４が取り付けられている。また、このワイヤレス受信機２４の他に，表示灯２５，電源スイッチ２６等が取り付けられ、電源コンセント２７により電源が供給される。２２は便座、２３は蓋体である。
【００１３】
前記ワイヤレスリモコン送信機２１には、前記洗浄便器２０の駆動を制御するための操作パネル３７と表示部２８が設けられている。前記操作パネル３７は、図３に示すように、例えば、小便後の「流す小」釦２９、大便後の「流す大」釦３０、温水噴射用の「おしり」釦３１と「ビデ」釦３２、その他、「乾燥」釦３３，「止まる」釦３４などが設けられている。
【００１４】
前記ワイヤレスリモコン送信機２１の内部には、図４に示すような回路が内蔵されている。このワイヤレスリモコン送信機２１の回路は、各種の制御をする制御回路３５と、前記「流す小」釦２９，「流す大」釦３０，「おしり」釦３１，「ビデ」釦３２，「乾燥」釦３３，「止まる」釦３４等を設けた操作パネル３７と、前記表示部２８と、制御プログラムやデータ記憶のためのメモリ３６と、前記洗浄便器２０の制御信号を予め選択された単一周波数チャンネルの搬送波にて変調する送信部３８と、変調された信号をワイヤレス送信機２４に向けて発信するアンテナ３９とからなる。前記表示部２８には、操作パネル３７の操作内容、時刻の他、チャンネル設定時のチャンネル番号なども表示される。
【００１５】
前記洗浄便器２０に設けたワイヤレス受信機２４の内部には、図５に示すような回路が内蔵されている。この洗浄便器２０の回路は、各種の制御をする制御回路４０と、前記ワイヤレスリモコン送信機２１からのワイヤレス信号を受信するアンテナ４２と、変調した信号を復調する受信部４１と、制御プログラムやデータ記憶のためのメモリ４３と、前記「流す小」釦２９，「流す大」釦３０，「おしり」釦３１，「ビデ」釦３２，「乾燥」釦３３，「止まる」釦３４等に対応した出力端子４５に駆動信号を出力する駆動部４４と、作動状態を表示する前記表示灯２５と、ワイヤレス受信機２４等に電源を供給する前記電源スイッチ２６等からなる。
【００１６】
以上のように構成された洗浄便器２０を、ワイヤレスリモコン送信機２１からのワイヤレス通信により駆動するには、ワイヤレスリモコン送信機２１から予め設定された複数のＮチャンネルの内の任意のチャンネルを選択して、ワイヤレス受信機２４側でそのチャンネルの周波数を記憶させて、ワイヤレスリモコン送信機２１とワイヤレス受信機２４の搬送波周波数を一致させる必要がある。
また、予め所定の周波数を記憶させておいても対応するワイヤレスリモコン送信機２１以外の機器から同一の周波数の信号が妨害電波として入力しているため、洗浄便器２０が作動しなかったり、誤動作したりする場合にも異なる周波数に変更する必要がある。
このようなときのチャンネルの設定方法を図１に基づき詳細に説明する。
このチャンネルの設定は、図３に示す操作パネル３７により行われるが、通常の便器の駆動操作と混同しないように、２つ以上の釦を同時に操作するなど、設置する人だけが知っているような隠し操作とすることが好ましい。
【００１７】
（１）ワイヤレスリモコン送信機２１のメモリ３６には、予め、例えば、チャンネルＮ＝１〜８までの搬送波用周波数が記憶されている。ワイヤレスリモコン送信機２１をスタートし、操作パネル３７の隠し操作でＮチャンネルの中から任意のチャンネル、例えば、Ｎ＝３を選択してワイヤレス受信機２４に向けてテスト信号を一定時間、例えば、１０秒間送信する。選択されたチャンネルは、表示部２８に表示される。
（２）ワイヤレスリモコン送信機２１からの１０秒間の送信中に電源スイッチ２６にてワイヤレス受信機２４の電源を入れてすでにメモリ４３に記憶されているチャンネルデータをリセットする。
（３）ワイヤレスリモコン送信機２１をリセットしてから５秒間経過したかが判断され、５秒間経過すれば終了し、５秒間経過しなければ次に進む。これは、ワイヤレス受信機２４を立ち上げてから５秒間以内にチャンネル設定が終了しないと、ワイヤレスリモコン送信機２１からのチャンネルＮ＝１〜８のいずれかが受信できず、周波数設定ができないことが生ずるのを防止するためである。もし、５秒間経過して終了したときは、電源スイッチ２６を切って前記（１）と（２）の工程を再度繰り返す。
（４）５秒間経過したかがＮＯであれば、ワイヤレス受信機２４は、受信機のチャンネルＮ＝１を設定する。
（５）ワイヤレス受信機２４は、チャンネルＮ＝１で受信を試みる。
（６）ワイヤレス受信機２４は、チャンネルＮ＝１で受信できたかを判断する。ワイヤレスリモコン送信機２１では、Ｎ＝３を選択したので、ＮＯとなる。
（７）ＮＯとなると、ワイヤレス受信機２４では、チャンネルＮ＝１＋１＝２にする。
（８）Ｎ＝９回目かがＮＯであるから、ワイヤレス受信機２４は、チャンネルＮ＝２で受信を試みる。
（９）ワイヤレス受信機２４は、チャンネルＮ＝２で受信できたかを判断する。ワイヤレスリモコン送信機２１では、Ｎ＝３を選択したので、ＮＯとなり、ワイヤレス受信機２４では、チャンネルＮ＝２＋１＝３にする。Ｎ＝９回目かがＮＯであるから、ワイヤレス受信機２４は、チャンネルＮ＝３で受信を試みる。
（１０）ワイヤレス受信機２４は、チャンネルＮ＝３で受信できたかを判断する。ワイヤレスリモコン送信機２１では、Ｎ＝３を選択したので、ＹＥＳとなり、ワイヤレス受信機２４のメモリ４３にチャンネルＮ＝３の周波数を記憶し、終了する。
なお、Ｎ＝９回目かがＹＥＳとは、ワイヤレスリモコン送信機２１からのチャンネルＮ＝１〜８まで一巡しても設定できないときは、終了する。
【００１８】
以上のようにしてワイヤレスリモコン送信機２１とワイヤレス受信機２４の新たな搬送波周波数を記憶することで、ワイヤレスリモコン送信機２１からの電波がワイヤレス受信機２４にて確実に受信でき、正常な駆動が可能となる。
もし、設定された新たな搬送波周波数でも誤動作等が生じる場合には、ワイヤレスリモコン送信機２１で選択するチャンネルを当初のものと異ならせて再度図１の操作を繰り返すことで他の周波数に設定できる。
【００１９】
前記実施例では、被制御機器として洗浄便器２０を例としたが、これに限られるものではなく、電波を使用してリモコン制御するエアコン、換気扇その他の機器にも利用できることはもちろんである。
【図面の簡単な説明】
【００２０】
【図１】本発明による送受信機間のチャンネル設定方法の実施例１を示すフローチャートである。
【図２】本発明による送受信機間のチャンネル設定方法及び装置を搭載した洗浄便器とワイヤレスリモコン送信機の斜視図である。
【図３】図２におけるワイヤレスリモコン送信機の操作パネルの正面図である。
【図４】図１におけるワイヤレスリモコン送信機の内部の電気回路を示すブロック図である。
【図５】図１におけるワイヤレス受信機の内部の電気回路を示すブロック図である。
【符号の説明】
【００２１】
２０…洗浄便器、２１…ワイヤレスリモコン送信機、２２…便座、２３…蓋体、２４…ワイヤレス受信機、２５…表示灯、２６…電源スイッチ、２７…電源コンセント、２８…表示部、２９…「流す小」釦、３０…「流す大」釦、３１…「おしり」釦、３２…「ビデ」釦、３３…「乾燥」釦、３４…「止まる」釦、３５…制御回路、３６…メモリ、３７…操作パネル、３８…送信部、３９…アンテナ、４０…制御回路、４１…受信部、４２…アンテナ、４３…メモリ、４４…駆動部、４５…出力端子。
【図１】
2008294525.tif 000003
【図２】
2008294525.tif 000004
【図３】
2008294525.tif 000005
【図４】
2008294525.tif 000006
【図５】
2008294525.tif 000007